(57)【要約】      （修正有）【課題】観察対象物の探索・観察能力を向上させた高倍率の光学観察装置を提供する。【解決手段】平行な二本の光軸の一方の光軸上に可視光対物光学系１１と観察用接眼光学系１３を配置し、他方の光軸上に赤外光像を結像する赤外光結像光学系２１と、赤外光結像光学系の結像位置に配置された赤外光センサー２３と、該赤外光センサー上に形成された赤外光像の特定の温度範囲を示す抽出画像を表示する画像表示装置２４と、探索用接眼光学系２６とを配置し、該画像表示装置に表示された赤外光像の抽出画像と可視光像を同時に、もしくは交互に観察する。【選択図】図１
2018128484.tif 000002
【特許請求の範囲】
【請求項１】
平行な二本の光軸の一方の光軸上に配置された、可視光像を結像する可視光対物光学系と、
前記可視光対物光学系によって結像された可視光像を観察する観察用接眼光学系と、
他方の光軸上に配置された、赤外光像を結像する赤外光結像光学系と、
前記赤外光像の結像位置に配置された赤外光センサーと、
前記赤外光センサーで検出された信号の一部分を抽出して画像信号化する信号処理装置と、
前記信号処理装置によって画像信号化された抽出画像を表示する画像表示装置と、
前記画像表示装置の位置に焦点を持つ探索用接眼光学系と、
により構成されていることを特徴とする光学観察装置。
【請求項２】
前記観察用接眼光学系と前記探索用接眼光学系は、互いに平行な二本の接眼光軸上に配置され、
前記二本の接眼光軸の間の距離は６０ｍｍから７０ｍｍの範囲を含む範囲を調整可能であることを特徴とする請求項１記載の光学観察装置。
【請求項３】
前記信号処理装置は抽出画像の抽出条件として温度範囲を設定することが可能であることを特徴とする請求項１ないし２記載の光学観察装置。
【請求項４】
前記信号処理装置の設定温度範囲は変更することが可能であることを特徴とする請求項３記載の光学観察装置。
【請求項５】
前記抽出画像の画角は前記観察用接眼光学系で観察する可視光像の視野角よりも広いことを特徴とする請求項１ないし４記載の光学観察装置。
【請求項６】
前記抽出画像の画角は変更可能であることを特徴とする請求項１ないし５記載の光学観察装置。
【請求項７】
前記抽出画像を消去する画像消去手段を有することを特徴とする請求項１ないし６記載の光学観察装置。
【請求項８】
前記画像消去手段は前記画像表示装置の機能を無効化する外部操作可能な操作部材を有することを特徴とする請求項７記載の光学観察装置。
【発明の詳細な説明】
【技術分野】
【０００１】
この発明は、フィールドスコープ等の可視光望遠鏡において、観察目的とする対象物の発見を容易にする赤外線映像手段を備えた光学観察装置に関する。
【背景技術】
【０００２】
従来、バードウォッチングのように遠方の小さな観察対象物を観察する場合は、フィールドスコープや双眼鏡のような高倍率の光学観察装置が用いられている。
【０００３】
また、上記の光学観察装置は遠方の小物体を観察するために例えば５０倍といった高倍率に構成されているために固定した観察範囲（視野）は数度といったように狭くなり、また視野内に野鳥のような小さい観察物を見つけるのは困難であり、実際の観察にはある程度の経験や勘が必要であった。
【０００４】
赤外光領域の赤外光像は、可視光領域の可視光像では得られない観察対象物の情報が得られるので、これまでにも、特許文献１、特許文献２のような赤外画像と可視画像を併用（合成）する種々の提案がなされている。また特許文献２で開示されているように可視画像観察装置に赤外画像を併用することで目標検出を容易にする技術が提案されているが、いずれも可視領域の電子画像と赤外線領域の電子画像を電子的手段で合成している。
【先行技術文献】
【特許文献】
【０００５】
【特許文献１】特公昭５１−４８８６号公報
【特許文献２】特公平６−１７８２９号公報
【発明の概要】
【発明が解決しようとする課題】
【０００６】
高倍率の光学観察装置による観察対象物の検出・観察能力を向上させる。
【課題を解決するための手段】
【０００７】
上記課題を解決するために、本発明の光学観察装置は光軸が平行な観察用の可視光望遠鏡装置と探索用の赤外光映像装置より構成され、可視光対物光学系によって結像された観察視野の可視光像と赤外光映像装置によって得られた探索視野の抽出画像を同時に、もしくは交互に観察することが出来ることを主要な特徴とするものである。
【０００８】
観察視野内に捕捉出来なかった野鳥のような観察対象を赤外光映像装置の探索視野内に捕捉し、観察装置の光軸を探索視野内で観察対象の方向へ誘導することによって観察対象を観察視野内へと誘導することが出来る。観察対象を観察視野内の中央付近で捕捉したら、画像消去手段により抽出画像を消去することができ、観察用接眼光学系を通して観察視野内の観察対象物を明瞭に観察することができる。
【０００９】
この光学観察装置は、平行な二本の光軸の一方の光軸上に配置された、可視光像を結像する可視光対物光学系と、前記可視光対物光学系によって結像された可視光像を観察する観察用接眼光学系と、他方の光軸上に配置された、赤外光像を結像する赤外光結像光学系と、前記赤外光像の結像位置に配置された赤外光センサーと、前記赤外光センサーで検出された信号の一部分を抽出して画像信号化する信号処理装置と、前記信号処理装置によって画像信号化された抽出画像を表示する画像表示装置と、前記画像表示装置の位置に焦点を持つ探索用接眼光学系とにより構成されていることを特徴とする。
【００１０】
さらに、この光学観察装置は、前記観察用接眼光学系と前記探索用接眼光学系は、互いに平行な二本の接眼光軸上に配置され、前記二本の接眼光軸の間の距離は６０ｍｍから７０ｍｍの範囲を含む範囲を調整可能である構成とすることもできる。その場合、光学観察装置の使用者は左右の目でそれぞれ観察用接眼光学系と探索用接眼光学系を覗きこむことが可能となり、観察視野の可視光像と探索視野の抽出画像を同時に観察することが出来る。
【００１１】
画像表示装置に表示される抽出画像は信号処理装置において観察対象物の放射温度もしくは放射温度範囲（例えば鳥類の場合３８℃〜４２℃）に応じて設定出来、また変更可能な構成をとることができる。
【００１２】
画像消去手段は画像表示装置の機能を無効化する外部操作可能な操作部材により構成できる。    
【００１３】
このような画像消去手段は、探索後に抽出画像を探索視野から消去できるので抽出画像が観察視野に影響を及ぼす事がない。
【００１４】
抽出画像の画角は可視光像の視野角よりも広いことが望ましく、またその画角は変更可能であることがさらに望ましい。
【発明の効果】
【００１５】
本発明の光学観察装置は、従来の望遠鏡類では発見しづらい木々の茂みの中の野鳥のような観察対象物や薄暗い状況下での観察対象物は探索用の抽出画像を観察視野像と同時に、もしくは交互に観察できるので、観察対象物が探索視野内で容易に発見・捕捉できるとともに捕捉された観察対象物を観察視野の中心付近に位置するように光学観察装置を誘導できるので野外観察が非常に容易になる。
【図面の簡単な説明】
【００１６】
【図１】図１は光学観察装置の一実施例の概略構成を示した構成図である。（実施例１）
【図２】図２（Ａ）は可視光望遠鏡装置の視野である前方の観察領域の木立の葉の茂みの中に観察対象物として野鳥がいる場合の観察領域の光景の一例を示す説明図である。図２（Ｂ）は図２（Ａ）の可視光望遠鏡装置の視野角と同一の視野角を有する赤外光映像装置の視野画像の一例を示す説明図であり、図２（Ａ）と同一の視野のサーモ画像を示している。図２（Ｃ）は図２(Ａ）の観察視野の可視光像と図２（Ｂ）の探索視野のサーモ画像を重ね合わせて示した説明図である。図２（Ｄ）は図２（Ｂ）の赤外光映像装置のサーモ画像から識別的に抽出して画像表示するための設定抽出温度を特定の温度範囲（例えば多くの野鳥類の体温を含む放射温度範囲である３８℃〜４２℃）に設定した場合の抽出画像の説明図である。図２（Ｅ）は図２（Ａ）の観察視野像と図２（Ｄ）の抽出画像を重ね合わせた説明図である。
【図３】図３（Ａ）は本発明の光学観察装置の観察用可視光望遠鏡装置の視野角のほぼ２倍の視野角に内包された探索領域としての前方の光景とその探索領域内の観察用可視光望遠鏡装置の視野像を示す説明図である。図３（Ｂ）は光学観察装置で実際に観察される観察視野像を示す説明図である。図３（Ｃ）は探索視野内の抽出画像を基準に光学観察装置の光軸を移動して観察対象物の野鳥を観察視野の中央付近で捕捉する様子を示す説明図である。図３（Ｄ）は観察対象物の野鳥を探索視野の中央付近で捕捉した様子を示す説明図である。図３（Ｅ）は観察対象物の野鳥を視野の中央付近で捕捉した時の光学観察装置の観察視野像と探索領域としての前方の光景との空間的相対位置を示す説明図である。図３（Ｆ）は観察対象物の野鳥を視野の中央付近で捕捉した時の光学観察装置の観察視野像を示す。
【図４】図４は本発明の光学観察装置の第二の実施例の概略構成を示した構成図である。（実施例２）
【発明を実施するための形態】
【００１７】
一般にバードウォッチング等ではフィールドスコープと呼ばれる望遠鏡や双眼鏡が用いられている。フィールドスコープは単眼の地上望遠鏡で三脚に取付けて使うことが多く、接眼レンズを交換することで簡単に倍率を変えることができるので野鳥等の野外観察に適している。
【００１８】
日中のように明るい状況下での野外観察では、見通しの良い前方光景中の野鳥や水辺の野鳥等を観察する場合には、観察対象物である野鳥を観察装置の視野内に捕捉することは比較的容易でその詳細部分まで観察できるが、木々の葉の茂みの中の野鳥や夕方のような薄暮の野外の野鳥などはその探索や捕捉には苦労することが多く、経験や勘が要求されることも多いのが現状である。
【００１９】
動物においては哺乳類と鳥類だけが恒温動物で体温が一定に保たれており、それ以外の多くの動物は変温動物である。鳥類の体温あるいは熱放射温度はおおよそ３８〜４２℃の範囲内にあり、その中でも小型の野鳥は大型のものに比べてより体温が高いので、赤外線を使用し温度分布画像で表示した赤外線画像（サーモ画像）で見ると、比較的容易に見つけ出すことが可能になる。
【００２０】
また、恒温動物でも犬や猫等の体温は鳥類の体温範囲よりも低く略３９℃以下であることが多い。そのため赤外線画像を温度分布画像で表示する場合、観察対象物の温度または温度範囲に合わせて特定の温度または温度範囲を設定すれば犬や猫等のみを画像として抽出することが出来るので、観察対象物の探索・発見を容易に行うことが可能となる。
【００２１】
一方、近年非冷却型の赤外センサーが比較的入手可能となっている。非冷却赤外センサーを用いて得られるサーモ画像は、フィールドスコープで得られる光学像や可視光センサーを用いて得られる画像に比べて画素数が少なく、そのため画質は著しく劣るが、赤外センサーを用いて得られるサーモ画像は観察対象物の温度分布を画像化できるので観察対象物の識別能力が高い。
【００２２】
このように、フィールドスコープのような光学的な観察装置に比べ、観察対象物の識別能力の高いサーモ画像が得られる赤外サンサーを併用することでバードウォッチング等の野外観測に適した光学観察装置を提供する事が可能になる。具体的には、赤外光映像装置で得られるサーモ画像を探索用接眼光学系で観察し、可視光望遠鏡装置で得られた可視光像を観察接眼光学系で観察することで、左右の目で同時に観察する構造を備えることによって実現することができる。
【実施例１】
【００２３】
図１は、本発明の実施例である光学観察装置１の概略構成図である。図中１０はフィールドスコープのような可視光望遠鏡装置、２０は赤外光映像装置であってそれぞれの光軸１０ｘ及び２０ｘは互いに平行に配置されており、光学観察装置１はさらに、抽出画像を赤外光映像装置２０の視野から消去するための、操作部材２７を備えている。これらの可視光望遠鏡装置１０と赤外光映像装置２０は、中心軸３０で連結された構造で光学観察装置１が構成されている。操作部材２７は光学観察装置１の筐体外部に設けられている。
【００２４】
可視光望遠鏡装置１０は可視光対物光学系１１、正立プリズム１２及び観察用接眼光学系１３がこの順序で光路上に配列されて構成されている。また、赤外光映像装置２０は赤外光像を結像する赤外光結像光学系２１、この赤外光結像光学系２１の結像位置に配置された非冷却赤外イメージセンサー等の赤外光センサー２３、この赤外光センサー２３で検出された信号の一部分を抽出して画像信号化するための信号処理装置２５、信号処理装置によって画像信号化された抽出画像を表示する液晶表示装置やＥＬ（エレクトロルミネッセンス）表示装置などのような画像表示装置２４と、探索用接眼光学系２６から構成されている。
【００２５】
観察用接眼光学系１３は、その焦点位置が可視光対物光学系１１の焦点面１４と一致するように配置されている。その為、可視光対物光学系１１で結像された可視光像は、観察用接眼光学系１３を通して拡大して観察することができる。また探索用接眼光学系２６は、その焦点位置が画像表示装置２４の位置と一致するように配置されている。その為、画像表示装置２４に表示された抽出画像は、探索用接眼光学系２６を通して拡大して観察することができる。また可視光望遠鏡装置１０と赤外光映像装置２０は、中心軸３０を中心に回転可能な構造で連結されている。その為、観察用接眼光学系１３の接眼光軸１０ｙと探索用接眼光学系の接眼光軸２０ｙの間の距離３１は、任意に調整が可能となる。一般的に、人間の左右の目の間隔は６０ｍｍから７０ｍｍ程度と言われている。二本の接眼光軸１０ｙと２０ｙの間の距離３１が６０ｍｍから７０ｍｍの範囲を含む範囲に調整可能な構造とすることで、一般的な使用者は観察用接眼光学系１３と探索用接眼光学系２６を左右の目で覗き込むことができる。その結果、可視光対物光学系で結像された可視光像と、画像表示装置２４に表示された抽出画像を、同時に拡大して観察することが出来る。
【００２６】
また、赤外光映像装置２０の信号処理装置２５は必要に応じてサーモ画像の一部を部分表示する機能や、抽出画像を非表示にする機能を持ち、光学観察装置１の筐体外部に設けられた操作部材２７を操作することよってその機能を選択できる。その結果、探索用接眼光学系２６の視野からは抽出画像が消去され、観察視野の可視光像だけが可視光望遠鏡装置１０の観察用接眼光学系１３を通して観察することができる。
【００２７】
また赤外光映像装置２０の赤外光結像光学系２１と赤外光センサー２３の間に着脱可能なシャッター２２を設けることで、赤外光センサー２３の画素ごとの感度ばらつきを補正することができる。
【００２８】
赤外光映像装置２０の画像表示装置２４は赤外光結像光学系２１で赤外光センサー２３上に形成された赤外光像を信号処理装置２５によって画像信号化して抽出画像として表示する。赤外光映像装置２０の信号処理装置２５は前記赤外光センサー２３で検出された信号の一部分を抽出して画像信号化する機能を有する。本発明では、赤外光センサー２３で検出された信号の一部分を抽出する画像抽出は、信号処理装置２５に予め設定された温度もしくは温度範囲に対応する赤外光像部分のみを抽出画像として画像信号化するように構成されている。例えば、赤外光映像装置２０の視野内の対象物を、特定の放射温度を有する対象物だけに制限して画像表示装置２４に表示させるための抽出温度もしくは抽出温度範囲を不図示の温度設定手段を操作することによって設定することが出来るように構成されている。
【００２９】
バードウォッチングのように野外において鳥類を観察する場合、抽出温度範囲を鳥類の体温範囲である例えば３８℃〜４２℃に設定すれば、視野内の光景内に野鳥が存在する場合、野鳥だけ（野鳥を含む抽出温度範囲内の対象物）が画像表示装置２４に表示されることになる。また、信号処理装置２５と画像表示装置２４は設定温度範囲に包含される視野内の物体の画像に所定の色、例えば赤色、を付して画像表示装置２４上で表示出来るように構成されている。信号処理装置２５は設定放射温度の範囲外の放射温度を持つ対象物の赤外光像は画像信号化されないので画像表示装置２４には表示されない。すなわち、画像表示装置２４には設定された抽出温度もしくは抽出温度範囲の放射温度を有する対象物のみが抽出表示されることになる。勿論、バードウォッチングに特化した光学観察装置であれば、この抽出温度範囲を固定して鳥類のだけを抽出表示するように構成すれば装置の価格低減に資することが出来る。
【００３０】
図２（Ａ）は観察者の前方の光景（被観察視野）である木立の繁る葉の茂みである前景４１に存在する観察対象物である野鳥４２を、例えば図１の光学観察装置１の可視光望遠鏡装置１０と同様な周知の可視光望遠鏡装置で観察している場合の観察視野４０内の画像を模式的に描写したものである。
【００３１】
また、図２（Ｂ）は図２（Ａ）と同一の光景（被観察視野）４１を例えば図１の光学観察装置１の赤外光映像装置２０と同様な赤外光映像装置で探索している場合の探索視野４０Ｒのサーモ画像４１Ｒを模式的に描写したものである。このサーモ画像は温度分布画像として視認されるが、赤外光センサーは概して画素数も少ないので画像自体の分解度（解像度）は低く、その結果野鳥のサーモ画像４２Ｒはその形状や輪郭等の細部が不明確で画質の悪い画像となってしまう。
【００３２】
図２（Ｃ）は図２（Ａ）の可視光望遠鏡装置の観察視野４０の像と図２（Ｂ）の赤外光映像装置の探索視野４０Ｒのサーモ画像４１Ｒを単純に合成（重ね合わせ）した状態の画像を模式的に示すものである。この場合、探索視野４０Ｒの質が悪いサーモ画像４１Ｒが観察視野４０の光景４１の可視光像に重畳されるので，質の悪いサーモ画像の方が視覚的に優位となってしまい、実際の観察はほとんど不可能になってしまうのが現状である。
【００３３】
ところで、赤外光映像装置２０のように抽出温度範囲が設定可能に構成された本発明の光学観察装置１では、抽出温度範囲を観察対象物の熱放射温度、例えば観察対象物のである野鳥の体温３８℃〜４２℃、に設定するとともに、抽出温度範囲によって抽出された探索視野内の設定放射温度を有する観察対象物、例えば野鳥、を特定の目視観察で視認し易い色、例えば赤色、で画像表示装置２４に表示するように信号処理を行ってサーモ画像の一部分として画像信号処理すると、図２（Ｄ）に示すように観察対象物である野鳥の赤色サーモ画像４２Ｒだけが抽出され画像表示装置２４に表示される。従って、可視光望遠鏡装置１０の観察視野像とこの赤外光映像装置２０の探索視野画像を両目で同時に観察すると、図２（Ｅ）のように前景の明瞭な像の中に観察対象物である特徴のある色で表示された野鳥が容易にそして明確に視認することができる。ここで抽出画像を消去すると図２（Ａ）の光学像が観察できる。
【００３４】
可視光望遠鏡装置の観察視野と赤外光映像装置の探索視野が同じであって、観察対象物が観察視野内に存在する場合について図２（Ａ）〜（Ｅ）に基づいて説明したが、可視光望遠鏡装置の観察視野内に観察対象物が存在していない場合、観察対象物を探索・発見すること自体が難しい。
【００３５】
本発明の光学観察装置１は、可視光望遠鏡装置１０の観察視野内に観察対象物が存在していない場合であっても赤外光映像装置２０によって観察対象物を容易に探索・発見することが出来て観察が行えるものであり、以下にその作用を説明する。
【００３６】
図３（Ａ）は前方の木立の繁る葉の茂みである前景４１中の観察を意図した仮想観察領域４５の内側ではあるが可視光望遠鏡装置１０の視野（観察視野）４０の外側に観察対象としての野鳥４２が存在している場合であって、この仮想観察領域４５は可視光望遠鏡装置１０の視野の２倍程度の広さに設定されそのほぼ中央領域に光学観察装置１の可視光望遠鏡装置１０の視野４０を向けた様子を示している。図３（Ａ）において可視光望遠鏡装置１０の視野４０を実線で示し、可視光望遠鏡装置１０の視野の２倍程度の広さの仮想観察領域４５を点線で示している。可視光望遠鏡装置１０の観察視野４０は観察領域４５のほぼ中央に重なっている。この場合、図３（Ｂ）に示すように光学観察装置１の観察視野即ち可視光望遠鏡装置１０の観察視野４０内には観察対象物であるの野鳥４２の姿を捕捉することが出来ない。
【００３７】
そこで、赤外光映像装置２０の視野（探索視野）４０Ｒを可視光望遠鏡装置１０の視野（観察視野）４０の２倍程度の大きさを有するものとし、即ち図３（Ａ）の仮想観察領域４５にほぼ一致させると、この赤外光映像装置２０はその探索視野４０Ｒ内に観察対象物の野鳥４２を捕捉することができる。前述したように、赤外光映像装置２０の赤外光結像光学系２１で赤外センサー２３上に形成された探索視野４０Ｒの赤外光像を画像表示装置２４の信号処理装置２５によって設定抽出温度範囲内の熱放射温度を有する観察対象物である野鳥４２を抽出してサーモ画像信号に変換した上で特定の視認し易い色、例えば赤色、で画像表示装置２４に表示するように信号処理を行ってサーモ画像の一部分として抽出画像信号処理すると、サーモ画像信号に変換し特定の色に着色された抽出画像として赤い野鳥のサーモ画像４２Ｒが画像表示装置２４上に表示されると、図３（Ｃ）に実線で示された探索視野４０Ｒの抽出画像が得られ、観察領域４５内から抽出された野鳥の抽出画像４２Ｒが赤色の画像として画像表示装置２４上に表示される。なお、図３（Ｃ）中の十字線４６は赤外光映像装置２０の視野枠内に設けられており、その交点は光軸２０ｘを表している。
【００３８】
ここで、可視光望遠鏡装置１０と赤外光映像装置２０が一体となった光学観察装置１を、赤外光映像装置２０の光軸２０ｘ（即ち十字線４６）を探索対象物である野鳥のサーモ画像４２Ｒの方向（矢印４７）へ移動させると、赤外光映像装置２０の視野が同じ方向へ移動するので、野鳥４２と赤外光映像装置２０の光軸２０ｘが相対的に接近する。赤外光映像装置２０の視野４０Ｒ内においては十字線４６が野鳥の抽出画像４２Ｒに接近する。さらに継続して移動し、探索視野４０Ｒを点線で描かれた位置（観察領域４５）まで移動すれば、野鳥の抽出画像４２Ｒは赤外光映像装置２０の視野の中央付近へ移動する。
【００３９】
この時、赤外光映像装置２０と一体となった可視光望遠鏡装置１０も赤外光映像装置２０と一体的に同じ方向へ実線位置から点線位置へと移動するので、図３（Ｅ）に示すように被観察対象物である野鳥４２を観察視野４０の中央付近で捕捉することが出来る。図３（Ｅ）は光学観察装置１を移動し被観察対象物である野鳥４２を観察視野４０の中央付近で捕捉した状態の時の光学観察装置１と可視光望遠鏡装置１０の観察視野４０の相対位置を示しており、図３（Ｆ）は中央付近で被観察対象物である野鳥４２を捕捉した時の光学観察装置１による実際の観察視野４０の状態を示している。
【００４０】
赤外光映像装置２０の探索視野４０Ｒ中央付近で被観察対象物である抽出画像で表示された野鳥４２Ｒを捕捉したら、赤外光映像装置２０の操作部材２７を外部から手動的に操作して信号処理装置２５の信号化機能を無効化して、抽出画像４２Ｒを光学観察装置の探索視野から消去する。その結果、可視光望遠鏡装置１０の観察視野４０の可視光像だけが観察用接眼光学系１３を介して観察することができる。
【００４１】
以上の実施例では両装置の視野を基準にして説明をしているが、本発明の光学観察装置は、抽出画像を可視光望遠鏡装置の視野枠に寸法的に同じにしても良く、赤外光映像装置２０の視野が可視光望遠鏡装置１０の視野の２倍である場合には、赤外光映像装置２０の抽出画像（図３（Ｃ））は１/２の大きさに縮小して図３（Ｄ）に示す可視光望遠鏡装置１０の観察視野とほぼ一致させても良い。抽出画像の画角は、観察用接眼光学系で観察する可視光像の視野角よりも広いことが望ましく、抽出画像の画角を変更可能とすることも可能であり、こうすることによって本発明の光学観察装置の利用範囲を広くすることが出来る。
【００４２】
また、赤外イメージセンサーは画素数が少なく、観察対象物である野鳥等の抽出画像は形状や輪郭がはっきりしない赤い点像の集合体で探索視野内に表示されるので、可視光望遠鏡装置の中心部に十字等のレチクルを設けておけば、可視光望遠鏡装置の視野より広い赤外光映像装置の視野を重ね合わせ、抽出画像の赤い点像をレチクル十字線と重なるように光学観察装置を移動させ、抽出画像の赤い点像がレチクル十字線と重なったら赤外光映像装置の機能を停止させて画像非表示の状態にすると野鳥等の被観察物の探索及び観察が容易になる。
【００４３】
上記の実施例では、可視光望遠鏡装置１０と赤外光映像装置２０が中心軸３０を中心に回転可能な構造として例示したが、可視光望遠鏡装置１０と赤外線映像装置２０が図示しない連結機構で平行移動する構造とする場合も本発明に属する。また上記の実施例では、可視光望遠鏡装置１０と赤外光映像装置２０を使用者が左右両方の目で同時に観察する場合で説明したが、観察用接眼光学系１３と探索用接眼光学系２６が、一般的な使用者の左右の目で覗きやすい位置関係となっていなくても、片方の目で交互に観察することで同様の効果をもたらすことは言うまでもない。
【実施例２】
【００４４】
図４は本発明の第２の実施例の光学観察装置１Ｂを示し、図１に示した第１の実施例に係わる光学観察装置１と同様な構成を有している（同一の参照符号は同一の構成要素を示している）。即ち、本第２実施例の光学観察装置１Ｂは、可視光望遠鏡装置１０と赤外光映像装置２０より構成される。可視光望遠鏡装置１０は可視光対物光学系１１、正立プリズム１２Ｂ及び観察用接眼光学系１３がこの順序で光路上に配列されて構成されている。また、赤外光映像装置２０は赤外光像を結像する赤外光結像光学系２１、この赤外光結像光学系２１の結像位置に配置された非冷却赤外イメージセンサー等の赤外光センサー２３、この赤外光センサー２３で検出された信号の一部分を抽出して画像信号化するための信号処理装置２５、信号処理装置によって画像信号化された抽出画像を表示する画像表示装置２４と探索用接眼光学系２６から構成されている。正立プリズム１２Ｂは、その入射光軸と射出光軸が４５°傾いた性質を持っている。この正立プリズムの性質を除くと、この第２の実施例の光学観察装置１Ｂは、第１の実施例の光学観察装置１と全く同じ構成となっている。
【００４５】
この第２の実施例の光学観察装置１Ｂによれば、赤外光映像装置２０の探索用接眼光学系２６を通して観察対象物を探索後、可視光望遠鏡装置１０の観察用接眼光学系１３を通して観察対象物を拡大して観察することができる。探索用接眼光学系２６と観察用接眼光学系１３を交互に観察することで、第１の実施例の光学観察装置１と全く同等の作用・効果を得る事が出来る。
【符号の説明】
【００４６】
１、１Ｂ  光学観察装置
１１  可視光対物光学系
１３  観察用接眼光学系
２１  赤外光結像光学系
２３  赤外光センサー
２４  画像表示装置
２５  信号処理装置
２６  探索用接眼光学系
２７  操作部材
【図１】
2018128484.tif 000003
【図２】
2018128484.tif 000004
【図３】
2018128484.tif 000005
【図４】
2018128484.tif 000006